(57)【要約】  タバコ産業製品を取り出すための取り出し開口部（８）を画定する取り外し可能なセクション（５ａ）を含むバリアー材（５）に包まれた一群のタバコ産業製品を含む基部（３）を含むパッケージ（３０）が開示されている。パッケージは、開閉位置間で回転するために基部に取り付けられ、内面（４５）を有する蓋前壁（３７）と、前面および後面（４６ｂ）を有する蓋前壁フラップ（４６）とを含む蓋（２）を有する。蓋前壁フラップは蓋前壁に対して蓋前壁の下方縁部に沿った折り目で折り曲げられ、前記折り目から延びた第１の部分（４７）を含む。この第１の部分によって形成された蓋前壁フラップの後面は蓋前壁の前記内面に貼り付けられる。蓋前壁フラップは、第１の部分から延び、第１の部分に対して折られるように構成された中間部分（４８）と、中間部分から延びた第２の部分（５０）をとを含み、この第２の部分は蓋前壁フラップの後面を露出させるために第１の部分に対して折りたたまれる。蓋を開いた位置の方へ回転させると、取り出し可能なセクションが持ち上げられて取り出し開口部を開くようにバリアー層の取り出し可能なセクションと蓋にラベル（９）が貼り付けられている。
2021511265.tif 000002
【特許請求の範囲】
【請求項１】
タバコ産業製品を取り出すための取り出し開口部を画定する取り外し可能なセクションを含むバリアー材に包まれた一群のタバコ産業製品を含む基部と、
開閉位置間で回転するために基部に取り付けられた蓋であって、内面を有する蓋前壁と、前後面を有する蓋前壁フラップとを含み、この蓋前壁フラップは蓋前壁に対して蓋前壁の下方縁部に沿った折り目で折り曲げられ、前記折り目から延びた第１の部分を含み、この第１の部分によって形成された蓋前壁フラップの後面は蓋前壁の前記内面に貼り付けられ、蓋前壁フラップは第１の部分から延び、第１の部分に対して折られるように構成された中間部分と、中間部分から延びた第２の部分をとを含み、この第２の部分は蓋前壁フラップの後面を露出させるために第１の部分に対して折りたたまれる蓋と、
蓋を開いた位置の方へ回転させると、取り出し可能なセクションが持ち上げられて取り出し開口部を開くようにバリアー層の取り出し可能なセクションと蓋に貼り付けられているラベルとを含み、
ラベルは第２の部分によって形成された蓋前壁フラップの後面に貼り付けられるパッケージ。
【請求項２】
蓋前壁フラップの第１、中間および第２の部分は一体に形成され、中間部分は折り曲げ線によって第１および第２の部分のそれぞれから分けられていることを特徴とする請求項１記載のパッケージ。
【請求項３】
折り曲げ線のそれぞれは平行であり、蓋がその開いたおよび閉じた位置の間で回転する際の中心となる折れ目に平行であることを特徴とする請求項１または２記載のパッケージ。
【請求項４】
中間部分の高さは折り曲げ線の間の方向に延びる第１または第２の部分の高さより低いことを特徴とする請求項２または３記載のパッケージ。
【請求項５】
中間部分は第１の部分から延び、蓋が閉じた位置にあるとき蓋の内面上に位置することを特徴とする請求項２乃至４いずれか１項記載のパッケージ。
【請求項６】
第２の部分は、蓋がその閉じた位置にあるとき、第１および中間部分と包装された束の間にあり、第２の部分によって形成された蓋前壁フラップの前面が第１および中間部分によって形成された蓋前壁フラップの前面と当接し、第２の部分によって形成された蓋前壁フラップの後面が包装された束に面するようになっていることを特徴とする請求項５記載のパッケージ。
【請求項７】
中間部分から切り込まれ、第２の部分から延びた舌部をさらに含み、この舌部は、最初に蓋を開ける際に第２の部分に対して中間部分を折り曲げる際に第２の部分の面に留まるようになっていることを特徴とする請求項２乃至６いずれか１項記載のパッケージ。
【請求項８】
舌部は、それが折り曲げ線の間の方向に延びた中間部分の高さの一部のみに延びるように中間部分から切り込まれていることを特徴とする請求項７記載のパッケージ。
【請求項９】
舌部はそれが中間部分の全長を延び、中間部分を舌部によって隔てられる２つのセクションに分割するように中間部分から切り込まれていることを特徴とする請求項７記載のパッケージ。
【請求項１０】
切り込みはＵ字状であることを特徴とする請求項７乃至９いずれか１項記載のパッケージ。
【請求項１１】
第２の部分の自由縁部は、蓋が閉じた位置にあるとき、蓋前壁の面に延びた方向に蓋前壁の下方縁部から間隔が空けられていることを特徴とする請求項１乃至１０いずれか１項記載のパッケージ。
【請求項１２】
取り出し可能なセクションとバリアー材の残りの部分の間にあり、蓋がその開いた位置に回転した際に破れる弱化された線を含むことを特徴とする請求項１乃至１１いずれか１項記載のパッケージ。
【請求項１３】
ラベルは取り外し可能なセクションを囲むバリアー層に重なるように取り外し可能なセクションを越えて延びた周縁部を有し、周縁部は繰り返し接着可能な接着剤でバリアー層に接着されていることを特徴とする請求項１２記載のパッケージ。
【請求項１４】
バリアー材は多層ラミネート材であり、ラベルは多層ラミネート材の１つの層であることを特徴とする請求項１３記載のパッケージ。
【請求項１５】
基部と蓋は折り曲げ可能な板材から一体に形成されていることを特徴とする請求項１乃至１４いずれか１項記載のパッケージ。
【請求項１６】
基部と蓋とを含む容器であって、ラベルが包装された束と蓋前壁フラップの第２の部分の後面に貼り付けられ、蓋を開いた位置の方へ回転させるとラベルが持ち上げられ、束を開くようになっている容器にタバコ産業製品の包装された束を梱包する方法であって、
蓋前壁の内面上に蓋前壁フラップを折り曲げ、蓋前壁フラップの後面の第１の部分を前記内面に貼り付けることと、
第１の部分から延びた蓋前壁フラップの中間部分を蓋前壁の内面に貼り付けない状態にしておくことと、
中間部分から延びた蓋前壁フラップの第２の部分を中間部分に対して折り曲げて第２の部分によって形成された蓋前壁フラップの後面にラベルを貼り付けるためにこの後面を露出させることとを含む方法。
【請求項１７】
バリアー材に包まれた一群のタバコ産業製品用のパッケージを形成するためのブランクであって、
蓋前壁と、
蓋前壁から延び、第１の部分と、中間部分と、第２の部分とを含む蓋前壁フラップと、
蓋前壁フラップと蓋前壁の間にあり、蓋前壁フラップを蓋前壁に対して折れるようにして蓋前壁フラップの後面の第１の部分が蓋前壁の内面に貼り付けられるようにする折り曲げ線と、
中間部分と第２の部分の間にあり、第２の部分を中間部分に対して折れるようにする第２の部分によって形成され蓋前壁フラップの後面を露出させる折り曲げ線とを含むブランク。
【請求項１８】
第１の部分と中間部分との間に中間部分を第１の部分に対して折り曲げられるようにする折り曲げ線をさらに含むことを特徴とする請求項１７記載のバリアー材に包まれた一群のタバコ産業製品用のパッケージを形成するためのブランク。
【発明の詳細な説明】
【技術分野】
【０００１】
本発明は、パッケージ、特にタバコ産業製品用ヒンジ式蓋付きパッケージに関する。また本発明は、一群のタバコ産業製品を包装する方法および一群のタバコ産業製品用のパッケージを形成するためのブランクに関する。
【背景技術】
【０００２】
通常、紙巻きタバコを含む喫煙品などのタバコ産業製品用のパッケージは、基部とヒンジ式蓋を形成するために折り曲げられるボール紙から作製される外方紙パッケージを含む。内方フレームを基部から突出するように基部に貼り付けて蓋を閉じた際に蓋の中に収容されるようにしてもよい。
【０００３】
パッケージは、基部に収納され、蓋が閉じた際に蓋の中に突出する喫煙品などのタバコ産業製品の束を含む。束は、取り出し可能なセクションを有する可撓性のバリアー層に包まれた一群のタバコ産業製品を含んでもよい。可撓性のラベルが上記セクションおよび蓋に貼り付けられ、蓋をその開いた位置に回転させると、該セクションがこの可撓性ラベルと一緒に持ち上げられ、取り出し開口部を開口し、そこからタバコ産業製品が取り出される。
【発明の概要】
【０００４】
本明細書で説明する実施態様ではタバコ産業製品を取り出すための取り出し開口部を画定する取り外し可能なセクションを含むバリアー材に包まれた一群のタバコ産業製品を含む基部と、
開閉位置間で回転するために基部に取り付けられた蓋であって、内面を有する蓋前壁と、前後面を有する蓋前壁フラップとを含み、この蓋前壁フラップは蓋前壁に対して蓋前壁の下方縁部に沿った折り目で折り曲げられ、前記折り目から延びた第１の部分を含み、この第１の部分によって形成された蓋前壁フラップの後面は蓋前壁の前記内面に取貼り付けられ、蓋前壁フラップは第１の部分から延び、第１の部分に対して折られるように構成された中間部分と、中間部分から延びた第２の部分をとを含み、この第２の部分は蓋前壁フラップの後面を露出させるために第１の部分に対して折りたたまれる蓋と、
蓋を開いた位置の方へ回転させると、取り出し可能なセクションが持ち上げられて取り出し開口部を開くようにバリアー層の取り出し可能なセクションと蓋に貼り付けられているラベルとを含み、
ラベルは第２の部分によって形成された蓋前壁フラップの後面に貼り付けられるパッケージが提供される。
【０００５】
蓋前壁フラップの第１、中間および第２の部分は一体に形成してもよい。中間部分は折り曲げ線によって第１および第２の部分のそれぞれから分けられてもよい。
【０００６】
折り曲げ線のそれぞれは好ましくは平行であり、蓋がその開いたおよび閉じた位置の間で回転する際の中心となる折れ目に平行であってもよい。
【０００７】
中間部分の高さは、折り曲げ線の間の方向に延びる第１または第２の部分の高さより低くてもよい。
【０００８】
中間部分は、第１の部分から延びてもよく、蓋が閉じた位置にあるとき蓋の内面上に位置する。
【０００９】
第２の部分は、蓋がその閉じた位置にあるとき、第１および中間部分と包装された束の間を延び、第２の部分によって形成された蓋前壁フラップの前面が第１および中間部分によって形成された蓋前壁フラップの前面と当接し、第２の部分によって形成された蓋前壁フラップの後面が包装された束に面するようになっている。
【００１０】
パッケージは、中間部分から切り込まれ、第２の部分から延びた舌部を含んでもよく、これにより舌部は、最初に蓋を開ける際に第２の部分に対して中間部分を折り曲げる際に第２の部分の面に留まる。
【００１１】
舌部は、それが折り曲げ線の間の方向に延びた中間部分の高さの一部のみに延びるように中間部分から切り込まれてもよい。
【００１２】
これとは別に舌部は、それが中間部分の全長を延び、中間部分を舌部によって隔てられる２つのセクションに分割するように中間部分から切り込まれてもよい。
【００１３】
切り込みはＵ字状であってもよい。
【００１４】
第２の部分の自由縁部は、蓋が閉じた位置にあるとき、蓋前壁の面に延びた方向に蓋前壁の下方縁部から間隔が空けられてもよい。
【００１５】
弱化された線が取り出し可能なセクションとバリアー材の残りの部分の間を延びてもよく、この線は蓋がその開いた位置に回転した際に破れる。
【００１６】
ラベルは取り外し可能なセクションを囲むバリアー層に重なるように取り外し可能なセクションを越えて延びた周縁部を有してもよく、この周縁部は繰り返し接着可能な接着剤でバリアー層に接着されている。
【００１７】
バリアー材は多層ラミネート材であってもよい。この場合、ラベルは多層ラミネート材の１つの層から形成されてもよい。
【００１８】
基部と蓋は、板紙などの折り曲げ可能な板材から一体に形成されてもよい。
【００１９】
本発明の別の実施態様では基部と蓋とを含む容器であって、ラベルが包装された束と蓋前壁フラップの第２の部分の後面に貼り付けられ、蓋を開いた位置の方へ回転させるとラベルが持ち上げられ、束を開くようになっている容器にタバコ産業製品の包装された束を梱包する方法が提供され、この方法は、
蓋前壁の内面上に蓋前壁フラップを折り曲げ、蓋前壁フラップの後面の第１の部分を前記内面に貼り付けることと、
第１の部分から延びた蓋前壁フラップの中間部分を蓋前壁の内面に貼り付けない状態にしておくことと、
中間部分から延びた蓋前壁フラップの第２の部分を中間部分に対して折り曲げて第２の部分によって形成された蓋前壁フラップの後面にラベルを貼り付けるためにこの後面を露出させることとを含む。
【００２０】
本発明の別の実施態様では、バリアー材に包まれた一群のタバコ産業製品用のパッケージを形成するためのブランクが提供され、このブランクは、
蓋前壁と、
蓋前壁から延び、第１の部分と、中間部分と、第２の部分とを含む蓋前壁フラップと、
蓋前壁フラップと蓋前壁の間にあり、蓋前壁フラップを蓋前壁に対して折れるようにして蓋前壁フラップの後面の第１の部分が蓋前壁の内面に貼り付けられるようにする折り曲げ線と、
中間部分と第２の部分の間にあり、第２の部分を中間部分に対して折れるようにする第２の部分によって形成され蓋前壁フラップの後面を露出させる折り曲げ線とを含む。
【００２１】
ブランクは第１の部分と中間部分との間に中間部分を第１の部分に対して折り曲げられるようにする折り曲げ線をさらに含んでもよい。
【図面の簡単な説明】
【００２２】
本発明が完全に理解されるように添付図面を参照して本発明の実施態様をあくまで例示を目的として説明する。
【図１】従来のパッケージの斜視図である。
【図２】パッケージの従来の内部フレームのブランクを示している。
【図３】喫煙品の周りに部分的に巻かれた図２に示したブランクの平面図である。
【図４】本発明の第１の実施態様によるパッケージの略式斜視図である。
【図５】図４に示した第１の実施態様のパッケージ用のブランクを示している。
【図６】蓋が閉じた位置にある図４および５に示したパッケージの略式側部断面図である。
【図７】蓋が閉じた位置にある図４および５に示したパッケージの略式側部断面である。
【図８】蓋を最初に開けた後の図４および５に示したパッケージの略式側部断面である。
【図９】蓋をその開いた位置の方へ回転させた際の図４および５に示したパッケージの略式側部断面である。
【図１０】図４に示したパッケージの第２の実施態様用のブランクを示している。
【図１１】蓋が閉じた位置にある図４および１０に示したパッケージの略式側部断面である。
【図１２】蓋をその開いた位置の方へ回転させた際の図４および１０に示したパッケージの略式側部断面である。
【図１３】蓋をその開いた位置の方へ回転させた際の図４および１０に示したパッケージの略式側部断面である。
【図１４】ラベルとバリアー材が多層ラミネートによって形成されたラベルの平面図である。および
【図１５】異なるラミネートから製せられた図１４のラベルとバリアーの部分断面図である。
【図１６】異なるラミネートから製せられた図１４のラベルとバリアーの部分断面図である。
【発明を実施するための形態】
【００２３】
図１は一般的な実施態様のヒンジ式蓋２と束６を形成するために可撓性のバリアー層５に包まれた一群の紙巻きタバコ４を含む基部を有する硬質の板紙製パッケージ１を示している。取り出し開口部の境界または縁部７が紙巻きタバコ４に触れられるようにするためにバリアー層５の取り外し可能な領域５ａから形成されている。取り出し開口部８は束６の上部を横断して前壁下方取り出し開口縁部７ａまで前面を下方に延びている。紙巻きタバコ４を包むバリアー層５は金属化プラスチックまたはプラスチックまたは金属箔ラミネート材で作製したものであってもよい。
【００２４】
ラベル９が取り外し可能なセクション５ａ上に位置し、これに貼り付けられている。ラベル９はそのバリアー層５に面した下面に塗布された繰り返し接着可能な接着剤を有する。繰り返し接着可能な接着剤は、蓋を開いたおよび閉じた位置の間を回転させる際にラベル９と取り外し可能なセクション５ａが離れないようにする強度を有する。これとは別に永久接着剤をバリアー層５の取り外し可能な領域５ａに重なるラベル９の下面の部分に塗布してもよい。しかしながら、ラベル９が取り出し開口部８の縁部７を越えて延びたラベル９の周縁部にはそれに塗布された繰り返し接着可能な接着剤を有する。しかしながら、一部の実施態様ではラベル９は取り出し開口部８の側縁部７ｃ、７ｄに亘って延びなくてもよい。ラベル９は可撓性のラベルであってもよい。
【００２５】
ラベル９は前壁下方縁部１０を有し、その前壁下方縁部１０から延びたタブ１１を含んでもよい。タブ１１は以下により詳しく説明するように蓋２の内側の面に接着される。タブ１１は、蓋２を閉じた際にラベル９の残りの部分に向くように折り曲げられずにまたは折り曲げられて蓋２に接着されてもよい。タブ１１は折り曲げられず、従って、その内面が束に向き、外面が蓋に向き、それに貼り付けられるのが好ましい。タブ１１は、蓋２をその開いたおよび閉じた位置の間で回転させる際にタブが折り曲げ線１２を中心にラベル９の残りの部分に対して回転するように折り曲げ線１２によってラベル９の残りの部分から隔てられてもよい。 
【００２６】
蓋２と取り出し開口部８の同時開口を達成するためにその前壁下方縁部１０に隣接するラベル９の部分は蓋２の内面に接着される。
【００２７】
取り外し可能なセクション５ａをバリアー層５の残りの部分から分離する取り出し開口部８の縁部７は、バリアー材の脆弱化された線または実際の切れ目によって画定されてもよい。蓋２をその開いた位置にヒンジ２ａを中心に枢動させると、ラベル９はタブ１１と蓋２の間の接続によって引っ張られ、剥がされる。バリアー層５の取り外し可能なセクション５ａは、ラベル９の下側に接着されたままであり、バリアー層５の残りの部分から脆弱化された線または切れ目に沿って分離され、取り出し開口部８を開く。
【００２８】
取り出し開口部８は、ラベルが巻き戻され、取り外し可能はセクション５ａが取り出し開口部８内の元の位置に戻るようにヒンジ２ａを中心に蓋２を枢動させることによって閉じてもよい。ラベル９の周縁部の繰り返し接着することができるコーティングによってパッケージ１を繰り返し封止するために取り出し開口部８を囲むバリアー層に繰り返し接着する。
【００２９】
確実に良好に接着するために図２および３に示すように内部フレーム１３がバリアー層５の下の紙巻きタバコ４の周囲を部分的に延びるように束６内に設けられる。内部フレーム１３は、取り出し開口部８の周囲でラベル９によって掛かる再封止の際の圧力に対してバリアー層５の下で反応面を供する。図２に示すようにボール紙で作製されてもよい内部フレーム１３は、前パネル１６、２つの側部フラップ１７および上部フラップ１８を有する。切れ目または折り曲げ線１９、２０は、フラップ１７がパネル１６に対して直角に折り曲げられると図３に示すような角を形成する。内部フレーム１３が折り曲げられた後、開口部２１が形成されることが図から分かり、これは取り出し開口部８に対応し、図２に示すようにそこから紙巻きタバコに触れることができる。開口部２１は前パネル１６の底縁部まで延びている。
【００３０】
図４〜９を参照すると本発明による第１の実施態様のパッケージ３０が示されている。第１の実施態様のパッケージ３０は、図１〜３を参照して説明したパッケージ１とは以下に詳しく説明するように蓋および可撓性のラベルが蓋に接着される方法の点で異なる。
【００３１】
図４を参照すると、パッケージ３０は側壁３３、３４および底壁３５によって隔てられている前後壁３１、３２を有する基部３を含む。基部３の頂部は開口端部である。基部３は、束を形成するためにバリアー材５に包まれた一群のタバコ産業製品、この場合には紙巻きタバコ４を含む。束６は束６が基部３内に収容された際に基部３の前壁３３に隣接する前壁３６を有する。パッケージ３０は、側壁３９、４０および頂壁４１によって隔てられている前後壁３７、３８を有する蓋２をさらに含む。蓋２の後壁３８は蓋２が開いた位置と閉じた位置で回転できるようにヒンジ２ａを中心に回転するために基部３の後壁３２に枢動自在に取り付けられている。
【００３２】
パッケージ３０のバリアー材５も取り出し開口部８を画定する取り出し可能なセクション５ａを含み、これを介して紙巻きタバコ４などのタバコ産業製品を蓋２がその開いた位置にあるとき、束６から取り出すことができる。一部の実施態様では、しかしながら、取り外し可能なセクション５ａは省略してもよい。パッケージ３０はさらに可撓性のラベル９を含み、これは束６のバリアー材５に貼り付けられ、取り出し可能なセクション５ａ上または取り出し可能なセクション５ａが無い場合には取り出し開口部８上を延びる。
【００３３】
本実施例では可撓性のラベル９は、可撓性のラベル９が取り出し開口部８から離れるように持ち上げられる際であっても束６に貼り付いたままになるように束６の後壁３２に永久的貼り付けられる。さらに可撓性のラベル９は、バリアー材５の取り外し可能なセクション５ａに貼り付けられ、それを覆って延びている。
【００３４】
可撓性のラベル９は蓋２の前壁３７にも貼り付けられている。従って、蓋２をその開いた位置に枢動させると、可撓性のラベル９が束６のバリアー材５から持ち上げられ、束６のバリアー材５の取り出し開口部８を露出させる。図４に例示したもののような実施態様では、蓋２を開いた位置に枢動させると、可撓性のラベル９が以下により詳しく説明するように取り出し開口部８からバリアー材５の取り出し可能なセクション５ａを持ち上げる。
【００３５】
本実施態様では図５および６に示すように蓋前壁３７は、蓋２がその閉じた位置にあるとき見える蓋前壁３７の唯一の面である外面４３を含む。蓋前壁３７は前壁下方縁部４４および内面４５をさらに含む。蓋前壁３７は前後面をを含む蓋前壁フラップ４６をさらに含む。後面４６ｂを図５に示し、前面はパッケージ３０のブランクの反対側にある。蓋前壁フラップ４６は蓋前壁下方縁部４４に沿って延びた折り目を中心に蓋前壁３７に対して折り曲げられる。
【００３６】
蓋前壁フラップ４６は、蓋前壁下方縁部４４に沿って折り目から延びた第１の部分４７を含む。第１の部分４７は蓋前壁３７の内面４５上に折り返され、永久接着剤を使用してそれに接着される。即ち、第１の部分４７によって形成された蓋前壁フラップ４６の後面４６ｂは蓋前壁３７の内面４５に貼り付けられる。蓋前壁下方縁部４４に沿って延びた折り目は、前壁３７の内面４５上に第１の部分４７を折り返しやすくする弱化された線を有してもよい。
【００３７】
蓋前壁フラップ４６は、第１の部分４７から延びた中間部分４８をさらに含む。中間部分４８は、折り曲げ線４９を中心に第１の部分４７に対して折り曲げ可能である。折り曲げ線４９は、中間部分４８を第１の部分４７に対して折りやすくする弱化された線から形成してもよい。本実施態様では第１の部分と中間部分４７、４８の間の折り曲げ線４９は、以下に詳しく説明するように蓋２を最初に開ける際に形成される。他の実施態様では折り曲げ線４９は蓋２を最初に開ける前に形成してもよい。折り曲げ線４９は蓋前壁３７の内面に第１の部分４７を接着する接着剤の縁部の領域に形成してもよい。
【００３８】
蓋前壁フラップ４６はさらに第２の部分５０を含む。第２の部分５０は、中間部分４８から延びている。第２の部分５０は、折り曲げ線５１を中心に中間部分４８に対して折り曲げ可能である。第２の部分５０は、第１の部分４７に対して折り返され、第２の部分５０によって形成された蓋前壁フラップ４６の後面４６ｂを露出させる。可撓性のラベル９のタブ１１は、第２の部分５０によって形成された蓋前壁フラップ４６の露出した後面４６ｂに貼り付けられる。第２の部分５０は、第１の部分４７上に位置し、蓋２がその閉じた位置にあるとき束６の前壁３６に対して位置する。即ち、第２の部分５０は、第２の部分によって形成された蓋前壁フラップ４６の前面が第１の部分および中間部分４７、４８によって形成された蓋前壁フラップ４６の前面と当接し、第２の部分５０によって形成された蓋前壁フラップ４６の後面が包装された束６に向くように第１の部分４７と中間部分４８の間にある。折り曲げ線５１は、中間部分４８に対して第２の部分５０を折りやすくする弱化された線から形成してもよい。
【００３９】
蓋前壁フラップ４６は、蓋２のその閉じた位置からその開いた位置の方への最初の回転時に中間部分４８が折り曲げ線４９、５１を中心に第１および第２の部分４７、５０に対して折れるように構成されている。折り曲げ線４９は、一部の実施態様では第１の部分４７に対して中間部分４８が折り曲がる際に形成される。他の実施態様では折り曲げ線４９は、蓋２のその開いた位置への最初の回転前に既に形成されていてもよい。このことは蓋をその閉じた位置から開いた位置への初期の角度を通って回転させる際に中間部分４８は第１および第２の部分４７、５０に対して折り曲げられるまで第２の部分５０の移動または回転が制限または妨げられることを意味する。従って、中間部分４８は蓋２の初期の回転時に第２の部分の移動を制限または妨げるバッファーとして作用する。 
【００４０】
中間部分４８の長さ、即ち折り曲げ線４９、５１間の距離は、同じ方向に延びる第１の部分４７と第２の部分５０の長さより短い。中間部分４８の長さは、中間部分４８が蓋２を最初に閉じた位置から開いた位置の方へと第２の部分５０を回転させず、そして束６との接触から外れるように持ち上げられること無しに回転させるので蓋前壁フラップ４６の作動に関連する。従って、蓋２を最初に閉じた位置から開いた位置の方へ移動させると、可撓性ラベル９が取り出し開口部８から離れるように持ち上げられるのが遅れる。中間部分４８が長くなるほど、蓋２は蓋前壁フラップ４６の第２の部分５０が移動し、束６との接触から外れるように持ち上げられる前にその閉じた位置からその開いた位置の方への移動距離が長くなる。
【００４１】
しかしながら、中間部分４８の長さは、蓋２を最初に開ける際の蓋２の内面４５と束６の間の利用可能な空間によって制限される。なぜなら中間部分４８が長すぎると、第１および第２の部分４７、５０に対して折り曲がらず、よって第２の部分が早期に束６から持ち上げられてしまうからである。中間部分４８の長さは束６の上縁部５３によって制限される。なぜなら中間部分４８の折り曲げ線５１は、第２の部分５０が束６と確実に接触したままになるように束６と接触しなければならないからである。中間部分４８の折り曲げ線５１が束６の上縁部５３を越えて移動したら、第２の部分５０が束６から持ち上がり、可撓性ラベル９が第２の部分と一緒に持ち上げられ、取り出し開口部８を露出させる。
【００４２】
図６に例示するように中間部分４８は蓋２がその閉じた位置にあるとき第１の部分と同じ面に位置する。その結果、蓋２が閉じた位置にあるとき、中間部分４８は蓋２の前壁３７の内面４５と第２の部分に当接する。即ち、中間部分４８の一面は、蓋２がその閉じた位置にあるとき蓋２の前壁３７の内面４５と当接し、中間部分４８の反対の面は、蓋２がその閉じた位置にあるとき第２の部分５０と当接する。
【００４３】
本実施態様では第２の部分５０の長さは第１の部分４７と中間部分４８を足した長さに等しい。従って、蓋２が閉じた位置にあるとき、第２の部分５０の自由端５２は蓋２の前壁３７の蓋前壁下方縁部４４に隣接し、従って、基部３の前壁３１の上縁部の隣に位置する。
【００４４】
パッケージ３０の操作を図７〜９を参照して説明する。消費者が閉じているパッケージ３０を開封しようとしたとき、消費者は指をパッケージ３０の蓋２にかけ、蓋をその閉じた位置から開く位置の方へ蓋２と基部３を接合しているヒンジ２ａを中心に回転させる。通常、消費者は蓋２の上壁４１に近い蓋前壁３７に指をかける。従って、初期のモーメントアームは、ヒンジ２ａと蓋２の上壁４１の間の距離に等しい。消費者が蓋２をその開いた位置の方へ回し続けると、モーメントアームは蓋の前および上壁３７、４１を接続する縁部５４がヒンジ２ａから離れるように水平に移動するので大きくなる。
【００４５】
また蓋前壁３７は、蓋前壁３７の蓋前壁下方縁部４４が基部３の前壁３１の上縁部５５から離れるように回転するように束６の前壁３６から離れるように回転する。しかしながら、蓋２に貼り付けられた可撓性ラベル９は、束６または取り出し開口部８から離れるように持ち上げられない。代わりに蓋２を最初に開ける際、蓋前壁フラップ４６の第２の部分５０によって形成された蓋前壁フラップ４６の後面４６ｂは、束６の前壁３６と当接し、蓋２をヒンジ２ａを中心にその開いた位置の方へ回転させると、中間部分４８は蓋２の前壁の内面４５から離れるように回転させられる。
【００４６】
より具体的には蓋２を最初に開ける際、第２の部分５０は、その回転の中心をヒンジ２ａの代わりに中間部分４８の折り曲げ線５１に有し、第２の部分５０は、第１および中間部分４７、４８の縁部４９、５１に形成された折り曲げ線によって束６から離れるようにこの折り曲げ線５１を中心に回転しない。蓋２をその閉じた位置から開いた位置の方へ移動させると、図８に示すように第１の部分４７と中間部分４８の間の角度が小さくなり、中間部分４８と第２の部分５０の間の角度が大きくなるように中間部分４８は蓋２の前壁３７の内面４５から離れるように回転させられる。
【００４７】
中間部分４８は、図９に示すようにそれが第１の部分４７に対して直立するまで第１の部分４７の折り曲げ線４９を中心に回転し続ける。この段階で蓋２の内面４５と束６の前壁３６の間の第１の部分４７の面からの垂直距離は中間部分４８の長さより長くなる。この時点で第２の部分５０は束６の前壁３６との接触から外れるように持ち上げられ始める。折れ目５１にある弾力が第２の部分５０の自由端５２が束６との接触から持ち上げられる蓋前壁フラップ４６の最後の部分になることを意味する。しかしながら、束６から離れる中間部分４８の折り曲げ線５１の移動が取り出し開口部８から可撓性ラベル９を取り除き始める。第２の部分５０が回転し束６の前壁との接触から外れて持ち上げられ始める時までに蓋２はその開いた位置から１０〜６０度の範囲で回転している。
【００４８】
消費者が蓋２をその開いた位置の方へ回し続けると、第２の部分５０は蓋２と一緒に回転し、可撓性ラベル９は束６から離れるように持ち上げられ、取り出し開口部８を露出させる。可撓性ラベル９が取り出し開口部８から剥がされると、可撓性ラベル９がそれ自体の上で２回折り返され、「Ｚ字形状」を形成する。可撓性ラベル９をその下方縁部１０の近くでこのように「Ｚ字状」にすることでパッケージ３０の開封の抵抗を生じさせる。しかしながら、本発明は、可撓性ラベル９の「Ｚ字化」が起こる前にユーザーが押して蓋２を開く縁部間のモーメントアームを大きくすることによってそのような抵抗を解消している。従って、「Ｚ字化」を克服するためにユーザーが必要な力は小さくなり、パッケージ３０は開封しやすくなる。
【００４９】
当然のことながら一部の消費者は、蓋前壁３７の蓋前壁下方縁部４４を基部３の前壁３１の上縁部５５から離れるように押すことによってパッケージを開封することを好む。当然のことながら蓋前壁下方縁部４４とヒンジ２ａとの間のモーメントアームもまたパッケージ３０を開封するためにユーザーに必要な力が小さくなるように可撓性ラベル９が取り出し開口部８から持ち上げられる前に従って「Ｚ字化」が起きる前に大きくなる。一部の実施態様では蓋２の蓋前壁下方縁部４４からの消費者のパッケージ３０の開封が蓋２を開ける際に確実に第２の部分５０に偶然に接触することがないように蓋前壁３７を標準的なパッケージより長くなるように延ばしてもよい。このような実施態様では蓋前壁下方縁部４４と第２の部分５０の自由端部５２は蓋２が閉じた位置にあるとき互いに隣接しない。実際には自由縁部５２は、蓋前壁３７の蓋前壁下方縁部４４より基部３の前壁３１の上縁部５５から遠くなる。
【００５０】
ここで図１０〜１３を参照すると本発明による第２の実施態様のパッケージ６０が示されている。図１０〜１３に示すパッケージ６０は上述の第１の実施態様のパッケージ３０とほぼ同じであり、従って詳細な説明はここでは省略する。さらにパッケージ３０の特徴および部材と同じパッケージ６０の特徴および部材については同じ用語および参照番号のままである。しかしながら、第２の実施態様のパッケージ６０は第１の実施態様のパッケージ３０とは蓋２の蓋前壁フラップ４６が変更されているという点で異なる。
【００５１】
図１１に示した本実施態様では前壁３７の蓋前壁フラップ４６は舌部６１をさらに含む。より具体的には蓋前壁フラップ４６の第２の部分５０は舌部６１を含む。舌部６１は第２の部分５０から中間部分４８内に延びている。本実施態様では舌部６１は蓋前壁フラップ４６の第２の部分５０と実質的に同じ面に延びている。従って、舌部６１は、中間部分４８の折り曲げ線５１から延びている第２の部分５０と反対の方向に延びている。
【００５２】
図１０に示すように舌部６１は中間部分４８を縦断する切り込み６２から形成され、Ｕ字状のフラップを形成する。切り込み６２は、切り込み６２の第１端部６３または始まりおよび切り込み６２の第２端部６４または終わりといった２つの対向端部を有する。第１および第２端部６３、６４は両方とも中間部分４８の折り曲げ線５１に位置し、中間部分４８内に延びている。本実施態様では切り込み６２は第１および第２端部６３、６４から中間部分４８の反対側の第１の部分４７の折り曲げ線４９の方へと延びている。しかしながら、当然のことながら別の実施態様では切り込み６２は、第１の部分４７の折り曲げ線４９の方へ延びる前に最初は異なる方向に延びてもよい。
【００５３】
舌部６１の長さは、第２の部分が延び始めている中間部分４８の折り曲げ線５１からこの折り曲げ線５１から垂直方向に最も遠い舌部６１の自由端６５までの距離として定義される。本実施態様では切り込み６２は舌部６１が中間部分４８と同じ長さになるように構成されている。即ち、切り込み６２に沿って第１および第２端部６３、６４の間に位置する切り込み６２の中間部分６６は、舌部６１の自由端６５を形成し、自由端６５は中間部分４８の折り曲げ線５１に少なくとも部分的に沿って延びている。図１０から分かるように切り込み６２はほぼ「Ｕ字状」である。しかしながら、当然のことながら切り込み６２はこれとは別の形状であってもよい。
【００５４】
舌部６１は蓋２のその閉じた位置からその開いた位置の方への初期の移動中に第２の部分５０の回転に抵抗するように構成されている。従って、舌部６１は、図４〜９に示した第１の実施態様のパッケージ３０と比較して、第２の部分５０が基部３内の束６の前壁３６と接触から外れるように回転または持ち上げられる前に蓋２をその閉じた位置から開いた位置の方へより遠くに回転できるようにする。
【００５５】
従って、パッケージ６０の作動は、第２の部分５０がその回転の中心を中間部分の折り曲げ線５１またはヒンジ線２ａの代わりに第２の部分５０の舌部６１の自由端に有すること以外、パッケージ３０について説明した作動と同じである。
【００５６】
従って、蓋２をその閉じた位置から開いた位置の方へ移動させると、中間部分４８が蓋前壁３７の内面４５から離れるように回転し、第１の部分４７と中間部分４８との角度が小さくなり、中間部分４８と第２の部分５０との角度が大きくなる。
【００５７】
その結果、中間部分４８が第１の部分４７の折り曲げ線４９を中心に回転し、第１の部分と中間部分４７、４８との間の角度が垂直を越えるように蓋２を回転させると、それでも舌部６１の自由端部が束６と接触しているので、第２の部分５０は図１２に示すように束６の前壁３６との接触から外れるように持ち上げられない。蓋２をさらに回転させると、第２の部分５０の舌部６１が第２の部分５０が束との接触から外れないようにする。代わりに舌部６１の自由端６５は、枢動点を形成し、これを中心に第２の部分５０が束との接触から外れるように持ち上げられる前に回転しなければならない。
【００５８】
第２の部分５０が舌部６１の自由端を中心に枢動する際、第２の部分は可撓性ラベル９、より具体的には接着剤が全く塗られていない可撓性ラベル９のタブ１１を束６の残りから離れるように持ち上げる。第２の部分５０は、図１３に示すように第２の部分５０の自由端５２に近接する第２の部分５０の一部が蓋前壁３７の蓋前壁下方縁部４４と当接するまで舌部６１の自由端６５を中心に枢動する。最終的に蓋２を閉じた位置から開いた位置の方へ充分遠くへ回転させると、舌部６１の自由端６５は束６との接触から外れて持ち上げられる。
【００５９】
第２の部分が束６との接触から外れる前に舌部６１の自由端部６５を中心に第２の部分を枢動させることによって、蓋２は閉じた位置から開いた位置の方により遠くへ回転させることができ、従って、縁部５４、５５のモーメントアームが第１の実施態様のパッケージ３０と比較して大きくなり、これにより可撓性ラベル９の「Ｚ字化」によって生じる開封時の抵抗を克服するのにユーザーから必要とされる力が小さくなる。
【００６０】
可撓性ラベル９を束６のバリアー材５に接着するラベル９の下面の繰り返し接着可能な接着剤による可撓性ラベル９によってもたらされる力も蓋２を開ける際に第２の部分が延びる面に対して実質的に垂直に作用する。これは糊が力に耐える最高の方向であり、蓋２を多数回開けることによるのり付け弱化を抑えることに役立つ。
【００６１】
本発明の１つの実施態様において可撓性ラベル９とバリアー層５は、同じラミネート材で作製してもよい。例えば、図１４および１５を参照すると、ラミネート７１は外層７２と内層７３を有し、外層は第１の切れ目７４を有し、これはそれによって境界が定められた外層領域７７を画定し、内層は第２の切れ目７５を有し、これはそれによって境界が定められた内層領域７８を画定する。内層領域７８は外層領域７７内に位置する。蓋をその開いた位置に回転させた際に内外層領域７８、７７が持ち上げられ、第１および第２の切り込み７４、７５とラミネートに製せられる開口部８の間の周辺領域７９で内外層７３、７２を剥離させるように外層領域７７の一部を蓋２の内面に貼り付ける。
【００６２】
図１６は上述のような、しかしながら、３層であるラミネート材のさらなる例を示している。この例では外層７２と第３の層８０は感圧性の「繰り返し接着可能な」接着剤を使用して接着され、内層７３と第３の層８０は永久接着剤を使用して接着されている。この場合、第１の切れ目７４は外層７２に設けられ、第２の切れ目は内層７３と第３の層８０に設けられている。第１および第２の切れ目７４、７５はオフセットしている。
【００６３】
図１６の例と類似する別の例では 外層７２と第３の層８０は永久的に互いに接着され、内層７３と第３の層８０は感圧性接着剤を使用して互いに接着される。この場合、第１の切れ目７４は外層７２と第３の層に設けられ、第２の切れ目は内層７３に設けられている。当然のことながらラミネート材７１は、上述と同じように互いに接着された４つ以上の層を有してもよく、第１および第２の切れ目７４、７５はそれぞれ１つ以上の層に設けられてもよい。上述のようなラベルとバリアーが一体の例を上述の実施態様のいずれかと組み合わせてもよい。
【００６４】
本明細書中で使用する「タバコ産業製品」なる用語は、紙巻きタバコ、シガリロ、シガー、パイプ用または手巻き紙巻きタバコ用タバコ（タバコ、タバコ派生物、膨張タバコ、再生タバコ、タバコ代替え品または他の喫煙材をベースにしているかに関係なく）などの燃焼性喫煙品、電子タバコなどの電子喫煙品、タバコ加熱製品などの燃焼させずに基材から化合物を放出する加熱装置および例えば液体または固体基材を含むハイブリッドシステムのような基材を組あわせたものからエアロゾルを発生させるハイブリッドシステムを含む喫煙品を包含すると理解されるべきである。
【００６５】
１つの実施態様ではタバコ産業製品は紙巻きタバコ、シガリロおよびシガーからなる群から選択される燃焼喫煙品である。
【００６６】
１つの実施態様では タバコ産業製品は非燃焼性喫煙品である。
【００６７】
１つの実施態様では タバコ産業製品は基材を燃やさずに加熱することによって化合物を放出する加熱装置である。基材は、タバコまたはニコチンを含むまたは含まない非タバコ製品であってもよい。１つの実施態様では加熱装置はタバコ加熱装置である。
【００６８】
別の実施態様では タバコ産業製品は基材を組あわせたものを燃やさずに加熱することによってエアロゾル発生させるハイブリッドシステムである。基材は、例えば固体、液体またはゲルを含んでもよく、これらはニコチンを含んでも含まなくてもよい。１つの実施態様ではハイブリッドシステムは液体またはゲル基材と固体基材とを含んでもよい。固体基材は、例えばタバコまたはタバコまたはニコチンを含むまたは含まない非タバコ製品であってもよい。１つの実施態様ではハイブリッドシステムは液体またはゲル基材とタバコとを含んでもよい。
【００６９】
本発明の実施態様はタバコ産業製品、例えば紙巻きタバコを参照して説明した。しかしながら、当然のことながら本発明のパッケージはこれとは別に非タバコ産業関連製品に使用してもよい。
【００７０】
種々の問題の対処と技術の発展のため、本開示全体は種々の実施形態を例示的に示しており、これらの実施形態では特許請求された発明が実践され、優れたタバコ産業製品用パッケージを提供することができる。本開示の利点および特徴は実施形態の単なる代表的な具体例であり、包括的でも排他的でもない。これらは特許請求された特徴の理解と教示の単なる補助に提供されている。当然だが、本開示の利点、実施形態、具体例、機能、特徴、構造、および／または他の側面は本開示を特許請求の範囲に規定されたとおりに限定するあるいは特許請求の範囲の均等物に限定すると考えるべきではなく、本開示の範囲および／または思想から乖離することなく他の実施形態を利用しても改変してもよいと考えるべきである。種々の実施形態は、開示された構成要素、成分、特徴、部品、工程、手段他の組合せを適切に備えても、これらで構成されても、基本的にこれらで構成されてもよい。また本開示は、現在は特許請求されていないが将来特許請求される可能性がある他の発明を含む。
【図１】
2021511265.tif 000003
【図２】
2021511265.tif 000004
【図３】
2021511265.tif 000005
【図４】
2021511265.tif 000006
【図５】
2021511265.tif 000007
【図６】
2021511265.tif 000008
【図７】
2021511265.tif 000009
【図８】
2021511265.tif 000010
【図９】
2021511265.tif 000011
【図１０】
2021511265.tif 000012
【図１１】
2021511265.tif 000013
【図１２】
2021511265.tif 000014
【図１３】
2021511265.tif 000015
【図１４】
2021511265.tif 000016
【図１５】
2021511265.tif 000017
【図１６】
2021511265.tif 000018
【国際調査報告】
2021511265.tif 000019
2021511265.tif 000020
2021511265.tif 000021